(57)【特許請求の範囲】
【請求項１】
絶縁性を有する被覆で電線が覆われた絶縁電線を電柱に接続した連結具を介して当該電柱に引き留めるための絶縁電線用引留具であって、
帯状に延びる長尺の金属部材と、
この金属部材の一方の面に積層された絶縁性を有する第１絶縁板と、を備え、
前記連結具に係止可能に前記金属部材及び前記第１絶縁板の長手方向の中央部がＵ字状に湾曲したフック部と、
このフック部の一端と他端から略平行に延設すると共に、前記被覆が部分的に剥離された電線を巻回可能に両端部に至るまで互いに交差しないように、巻回方向を同じにしてスパイラル状に形成された一対の延設部と、を有し、
前記フック部は、前記金属部材の他方の面が互いに密着するように折り曲げられると共に、前記第１絶縁板で被覆された外面を有し、
一対の前記延設部は、前記金属部材の他方の面を内側に配置して、前記電線に弾性をもって圧縮可能な内径を設けている、絶縁電線用引留具。
【請求項２】
前記第１絶縁板は、前記金属部材の幅方向の側面を覆う一対の屈曲片を長手方向に有する請求項１記載の絶縁電線用引留具。
【請求項３】
前記金属部材は、アルミニウム板又はアルミニウム合金板を含む請求項１又は２記載の絶縁電線用引留具。
【請求項４】
前記金属部材の他方の面は、前記電線との摩擦係数が大きい粗面を形成している請求項１から３のいずれかに記載の絶縁電線用引留具。
【請求項５】
絶縁性を有する被覆で電線が覆われた絶縁電線を電柱に接続した連結具を介して当該電柱に引き留めるための絶縁電線用引留具であって、帯状に延びる長尺の金属部材と、この金属部材の一方の面に積層された絶縁性を有する第１絶縁板と、を備え、前記連結具に係止可能に前記金属部材及び前記第１絶縁板の長手方向の中央部がＵ字状に湾曲したフック部と、このフック部の一端と他端から略平行に延設すると共に、前記被覆が部分的に剥離された電線を巻回可能に両端部に至るまで互いに交差しないように、巻回方向を同じにしてスパイラル状に形成された一対の延設部と、を有し、前記フック部は、前記金属部材の他方の面が互いに密着するように折り曲げられると共に、前記第１絶縁板で被覆された外面を有し、一対の前記延設部は、前記金属部材の他方の面を内側に配置して、前記電線に弾性をもって圧縮可能な内径を設けている絶縁電線用引留具を用いて、絶縁電線を電柱に接続した連結具を介して当該電柱に引き留めるための絶縁電線の引留方法であって、
前記絶縁電線の被覆を所定の範囲内で部分的に剥離する剥離行程と、
前記フック部を前記連結具に係合し、一対の前記延設部を前記電線に巻回する巻回行程と、を含む絶縁電線の引留方法。
【請求項６】
前記第１絶縁板は、前記金属部材の幅方向の側面を覆う一対の屈曲片を長手方向に有する請求項５記載の絶縁電線の引留方法。
【発明の詳細な説明】
【技術分野】
【０００１】
本発明は、絶縁電線用引留具及び絶縁電線の引留方法に関する。特に、絶縁電線を電柱などに引き留める場合に使用される引留具の構造、及びこの引留具を用いた絶縁電線の引留方法に関する。
【背景技術】
【０００２】
一般に、導体が絶縁性を有する被覆で覆われた絶縁電線などは、地上に立設された電柱に支持されている。図７は、従来技術による引留クランプを用いて、電柱に支持された絶縁電線の一例を示す正面図である。図７を参照すると、電柱Ｐは、その上部に腕金７１を支持している。腕金７１の両翼には、連結金具７２を介して一対の第１碍子７３ａ・７３ａを取り付けている。これらの第１碍子７３ａ・７３ａには、更に、一対の第２碍子７３ｂ・７３ｂを連結している。
【０００３】
図７を参照すると、第２碍子７３ｂには、くさび型の引留クランプ８を接続している。引留クランプ８は、クランプ本体８１、三角体状のくさび体８２、及び押え金具８３で構成している。クランプ本体８１は、くさび体８２とスライド可能に連結している。又、クランプ本体８１は、第２碍子７３ｂと回動可能に連結する円環部８１ａを一端部に有し、受け部８１ｂを他端部に有している。受け部８１ｂには、被覆９１ｗが部分的に剥離された電線９０ｗと共に、くさび体８２の端部が押し込まれる。
【０００４】
図７を参照すると、くさび体８２の斜面には、電線９０ｗの外周を受ける円弧状の溝が形成されている。そして、くさび体８２と押え金具８３とがボルトで締結され、電線９０ｗを挟持（クランプ）している。又、このように構成された引留クランプ８は、絶縁性を有するクランプカバー９ｃで覆われている。
【０００５】
図７を参照すると、絶縁電線９ｗは、電柱Ｐの両翼に設けた第１碍子７３ａ及び第２碍子７３ｂを介して接続された引留クランプ８に把持されている。又、絶縁電線９ｗは、そのジャンパー部９ｇが腕金７１の上方を湾曲した状態で配置されている。
【０００６】
ところで、図７に示されたクランプカバー９ｃには、鳥が営巣することがある。そして、この営巣材料には、導電性を有する針金などを含む場合があり、これに起因して電線９０ｗが地絡する心配がある。又、引留クランプ８及び電線９０ｗを絶縁するために、クランプカバー９ｃは、比較的サイズが大きくなっており、美観上好ましくないという不具合がある。
【０００７】
このような不具合を解消するために、絶縁電線の引留に使用した場合に、作業が簡単であり、安定した引留ができ、熱放散性がよく、クランプカバーが格段と小さくなり、美観上好ましい絶縁電線の引留グリップが開示されている（例えば、特許文献１参照）。
【０００８】
特許文献１による引留グリップは、断面が円形の強靱な金属線、及びこの金属線の周囲を覆うゴム又はプラスチックの絶縁被覆で構成された被覆素線を幅方向に連設した長尺の帯状体からなり、この帯状体は、内面が絶縁電線の外周に合致する円弧面を幅方向に有すると共に、二つ折り状に折り曲げられた中間部、及び絶縁電線を巻回するように螺旋状に曲成された一対の脚部を長手方向に有し、これらの両脚部の端部には、ゴム又はプラスチックキャップで一体に包被接合している。
【０００９】
特許文献１による引留グリップは、帯状体の円弧面を絶縁電線にあてがい、一対の脚部を絶縁電線に巻き付け、中間部を碍子に引っ掛けて取り付けることができるので、作業が簡単であり、絶縁電線を安定性して引き留めることができる、としている。
【００１０】
又、特許文献１による引留グリップは、絶縁電線の被覆の剥ぎ取りがなく手数がかからず、かつ露出した導電部分を覆う絶縁性のカバーが従来よりも格段に小さくでき、美観上有利となる、としている。
【先行技術文献】
【特許文献】
【００１１】
【特許文献１】特開平９−１１７０４６号公報
【発明の概要】
【発明が解決しようとする課題】
【００１２】
特許文献１による引留グリップは、絶縁電線の被覆の剥ぎ取りがなく手数がかからず、かつ露出した導電部分を覆う絶縁性のカバーが従来よりも格段に小さくできる利点はあるが、絶縁電線の被覆に引留グリップの被覆を当接して、絶縁電線を引き留めているので、絶縁電線の相当の張力（絶縁電線の自重）に対して、いずれか一方又は双方の被覆が破断する心配がある。したがって、絶縁電線を確実に引き留めておくことが困難になるという問題がある。
【００１３】
絶縁電線の張力に対して、絶縁電線を確実に引き留めておくことができ、かつ、露出した導電部分を覆う絶縁性のカバーが従来よりも小さくできる絶縁電線用引留具及び絶縁電線の引留方法が求められている。そして、以上のことが本発明の課題といってよい。
【００１４】
本発明は、このような課題に鑑みてなされたものであり、絶縁電線を電柱などに引き留める場合に使用される引留具であって、絶縁電線を確実に引き留めておくことができ、かつ、露出した導電部分を覆う絶縁性のカバーが従来よりも小さくできる絶縁電線用引留具及びこの引留具を用いて、絶縁電線を電柱などに確実に引き留める絶縁電線の引留方法を提供することを目的とする。
【課題を解決するための手段】
【００１５】
本発明者は、帯状に延びる長尺の金属部材、及びこの金属部材に積層された絶縁板で引留具を構成し、電柱に接続した連結具に係止可能にＵ字状に湾曲したフック部を形成し、フック部の一端及び他端から略平行に延設する一対の延設部であって、被覆の剥離部を金属部材が巻回可能にこれらの延設部をスパイラル状に形成することにより、これらの課題が解決可能なことを見出し、これに基づいて、以下のような新たな絶縁電線用引留具及び絶縁電線の引留方法を発明するに至った。
【００１６】
（１）本発明による絶縁電線用引留具は、絶縁性を有する被覆で電線が覆われた絶縁電線を電柱に接続した連結具を介して当該電柱に引き留めるための絶縁電線用引留具であって、帯状に延びる長尺の金属部材と、この金属部材の一方の面に積層された絶縁性を有する第１絶縁板と、を備え、前記連結具に係止可能に前記金属部材及び前記第１絶縁板の長手方向の中央部がＵ字状に湾曲したフック部と、このフック部の一端と他端から略平行に延設すると共に、前記被覆が部分的に剥離された電線を巻回可能に両端部に至るまで互いに交差しないように、巻回方向を同じにしてスパイラル状に形成された一対の延設部と、を有し、前記フック部は、前記第１絶縁板と対向するように、前記金属部材の他方の面に積層された絶縁性を有する第２絶縁板を有し、一対の前記延設部は、前記金属部材の他方の面を内側に配置して、前記電線に弾性をもって圧縮可能な内径を設けている。
【００１７】
（２）本発明による絶縁電線用引留具は、絶縁性を有する被覆で電線が覆われた絶縁電線を電柱に接続した連結具を介して当該電柱に引き留めるための絶縁電線用引留具であって、帯状に延びる長尺の金属部材と、この金属部材の一方の面に積層された絶縁性を有する第１絶縁板と、を備え、前記連結具に係止可能に前記金属部材及び前記第１絶縁板の長手方向の中央部がＵ字状に湾曲したフック部と、このフック部の一端と他端から略平行に延設すると共に、前記被覆が部分的に剥離された電線を巻回可能に両端部に至るまで互いに交差しないように、巻回方向を同じにしてスパイラル状に形成された一対の延設部と、を有し、前記フック部は、前記金属部材の他方の面が互いに密着するように折り曲げられると共に、前記第１絶縁板で被覆された外面を有し、一対の前記延設部は、前記金属部材の他方の面を内側に配置して、前記電線に弾性をもって圧縮可能な内径を設けている。
【００１８】
（３）前記第１絶縁板は、前記金属部材の幅方向の側面を覆う一対の屈曲片を長手方向に有してもよい。
【００１９】
（４）前記金属部材は、アルミニウム板又はアルミニウム合金板を含むことが好ましい。
【００２０】
（５）前記金属部材の他方の面は、前記電線との摩擦係数が大きい粗面を形成していることが好ましい。
【００２１】
（６）本発明による絶縁電線の引留方法は、絶縁性を有する被覆で電線が覆われた絶縁電線を電柱に接続した連結具を介して当該電柱に引き留めるための絶縁電線用引留具であって、帯状に延びる長尺の金属部材と、この金属部材の一方の面に積層された絶縁性を有する第１絶縁板と、を備え、前記連結具に係止可能に前記金属部材及び前記第１絶縁板の長手方向の中央部がＵ字状に湾曲したフック部と、このフック部の一端と他端から略平行に延設すると共に、前記被覆が部分的に剥離された電線を巻回可能に両端部に至るまで互いに交差しないように、巻回方向を同じにしてスパイラル状に形成された一対の延設部と、を有し、前記フック部は、前記第１絶縁板と対向するように、前記金属部材の他方の面に積層された絶縁性を有する第２絶縁板を有し、一対の前記延設部は、前記金属部材の他方の面を内側に配置して、前記電線に弾性をもって圧縮可能な内径を設けている絶縁電線用引留具を用いて、絶縁電線を電柱に接続した連結具を介して当該電柱に引き留めるための絶縁電線の引留方法であって、前記絶縁電線の被覆を所定の範囲内で部分的に剥離する剥離行程と、前記フック部を前記連結具に係合し、一対の前記延設部を前記電線に巻回する巻回行程と、を含む。
【００２２】
（７）本発明による絶縁電線の引留方法は、絶縁性を有する被覆で電線が覆われた絶縁電線を電柱に接続した連結具を介して当該電柱に引き留めるための絶縁電線用引留具であって、帯状に延びる長尺の金属部材と、この金属部材の一方の面に積層された絶縁性を有する第１絶縁板と、を備え、前記連結具に係止可能に前記金属部材及び前記第１絶縁板の長手方向の中央部がＵ字状に湾曲したフック部と、このフック部の一端と他端から略平行に延設すると共に、前記被覆が部分的に剥離された電線を巻回可能に両端部に至るまで互いに交差しないように、巻回方向を同じにしてスパイラル状に形成された一対の延設部と、を有し、前記フック部は、前記金属部材の他方の面が互いに密着するように折り曲げられると共に、前記第１絶縁板で被覆された外面を有し、一対の前記延設部は、前記金属部材の他方の面を内側に配置して、前記電線に弾性をもって圧縮可能な内径を設けている絶縁電線用引留具を用いて、絶縁電線を電柱に接続した連結具を介して当該電柱に引き留めるための絶縁電線の引留方法であって、前記絶縁電線の被覆を所定の範囲内で部分的に剥離する剥離行程と、前記フック部を前記連結具に係合し、一対の前記延設部を前記電線に巻回する巻回行程と、を含む。
【００２３】
（８）前記第１絶縁板は、前記金属部材の幅方向の側面を覆う一対の屈曲片を長手方向に有してもよい。
【発明の効果】
【００２４】
本発明による絶縁電線用引留具は、帯状に延びる長尺の金属部材、及びこの金属部材に積層された絶縁板で引留具を構成し、電柱に係止可能にＵ字状に湾曲したフック部を形成し、フック部の一端及び他端から略平行に延設する一対の延設部であって、被覆が部分的に剥離された電線を金属部材が巻回可能となるように、これらの延設部をスパイラル状に形成しているので、絶縁電線を確実に引き留めておくことができる。
【図面の簡単な説明】
【００２５】
【図１】本発明の第１実施形態による絶縁電線用引留具の構成を示す図であり、図１（Ａ）は、絶縁電線用引留具を絶縁電線に取り付ける前の状態を示す絶縁電線用引留具の正面図、図１（Ｂ）は、図１（Ａ）のＢ−Ｂ矢視断面図、図１（Ｃ）は、図１（Ａ）のＣ−Ｃ矢視断面図である。
【図２】第１実施形態による絶縁電線用引留具を絶縁電線に取り付けた状態を示す図であり、図２（Ａ）は、絶縁電線用引留具の平面図、図２（Ｂ）は、絶縁電線用引留具の正面図である。
【図３】本発明の第２実施形態による絶縁電線用引留具の構成を示す図であり、図３（Ａ）は、絶縁電線用引留具を絶縁電線に取り付ける前の状態を示す絶縁電線用引留具の正面図、図３（Ｂ）は、図３（Ａ）のＢ−Ｂ矢視断面図、図３（Ｃ）は、図３（Ａ）のＣ−Ｃ矢視断面図である。
【図４】本発明の第３実施形態による絶縁電線用引留具の構成を示す図であり、図４（Ａ）は、絶縁電線用引留具を絶縁電線に取り付ける前の状態を示す絶縁電線用引留具の正面図、図４（Ｂ）は、図４（Ａ）のＢ−Ｂ矢視断面図、図４（Ｃ）は、図４（Ａ）のＣ−Ｃ矢視断面図である。
【図５】第３実施形態による絶縁電線用引留具を絶縁電線に取り付けた状態を示す図であり、図５（Ａ）は、絶縁電線用引留具の平面図、図５（Ｂ）は、絶縁電線用引留具の正面図である。
【図６】本発明の第４実施形態による絶縁電線用引留具の構成を示す図であり、図６（Ａ）は、絶縁電線用引留具を絶縁電線に取り付ける前の状態を示す絶縁電線用引留具の正面図、図６（Ｂ）は、図６（Ａ）のＢ−Ｂ矢視断面図、図６（Ｃ）は、図６（Ａ）のＣ−Ｃ矢視断面図である。
【図７】従来技術による引留クランプを用いて、電柱に支持された絶縁電線の一例を示す正面図である。
【発明を実施するための形態】
【００２６】
以下、図面を参照して本発明を実施するための形態を説明する。
［第１実施形態］
（絶縁電線用引留具の構成）
最初に、本発明の第１実施形態による絶縁電線用引留具の構成を説明する。なお、従来技術で用いた符号と同じ符号を有する構成品は、その作用を同一にするので、以下の説明では割愛する場合がある。
【００２７】
図１は、本発明の第１実施形態による絶縁電線用引留具の構成を示す図であり、図１（Ａ）は、絶縁電線用引留具を絶縁電線に取り付ける前の状態を示す絶縁電線用引留具の正面図、図１（Ｂ）は、図１（Ａ）のＢ−Ｂ矢視断面図、図１（Ｃ）は、図１（Ａ）のＣ−Ｃ矢視断面図である。図２は、第１実施形態による絶縁電線用引留具を絶縁電線に取り付けた状態を示す図であり、図２（Ａ）は、絶縁電線用引留具の平面図、図２（Ｂ）は、絶縁電線用引留具の正面図である。
【００２８】
図１を参照すると、本発明の第１実施形態による絶縁電線用引留具（以下、引留具と略称する）１０は、長尺の金属部材１と絶縁性を有する第１絶縁板２を備えている。金属部材１は、帯状に延びている。第１絶縁板２は、金属部材１の一方の面１ａに積層されている。
【００２９】
又、図１を参照すると、引留具１０は、フック部１１と一対の延設部１２・１３を有している。フック部１１は、金属部材１及び第１絶縁板２の長手方向の中央部がＵ字状に湾曲している。図１及び図７を参照すると、フック部１１は、第２碍子７３ｂに接続された連結具７３ｃを介して、電柱Ｐに係止できる。
【００３０】
図１を参照すると、一対の延設部１２・１３は、フック部１１の一端１１ａと他端１１ｂから略平行に延設している。更に、一対の延設部１２・１３は、一端１１ａ又は他端１１ｂから両端部１２ａ・１３ａに至るまで、スパイラル状に形成されている。なお、一端１１ａ及び他端１１ｂは、フック部１１と一対の延設部１２・１３とを区分する仮想の境界であって、実体として厳密に区分されていない。
【００３１】
図２を参照すると、一対の延設部１２・１３は、被覆９１ｗが部分的に剥離された電線９０ｗをスパイラル状に巻回できる。第１実施形態による引留具１０は、一対の延設部１２・１３が互いに交差しないように、一対の延設部１２・１３の巻回方向を同じにして、電線９０ｗを巻回できる。
【００３２】
図１を参照すると、フック部１１は、絶縁性を有する第２絶縁板３を更に有している。第２絶縁板３は、第１絶縁板２と対向するように、金属部材１の他方の面１ｂに積層されている。又、一対の延設部１２・１３は、金属部材１の他方の面１ｂを内側に配置して、電線９０ｗに弾性をもって圧縮可能な内径ｄを設けている（図２参照）。
【００３３】
図１を参照して、金属部材１は、複数の金属線を並設して互いに接合した帯状のものが好ましく用いられる。又、金属部材１は、アルミニウム板又はアルミニウム合金板を含むことが好ましいが、アルミニウム板又はアルミニウム合金板に限定されない。金属部材１の他方の面１ｂは、電線９０ｗとの摩擦係数が大きい粗面を形成していることが好ましい（図２参照）。例えば、金属部材１の他方の面１ｂは、ダイヤモンドカット状のローレット加工を施してもよい。
【００３４】
（絶縁電線の引留方法）
次に、第１実施形態による引留具１０を用いた絶縁電線の引留方法を説明しながら、引留具１０の作用及び効果を説明する。
【００３５】
図２を参照して、最初に、絶縁電線９ｗの被覆９１ｗを所定の範囲内で部分的に剥離する（剥離行程）。次に、図１に示された状態でのフック部１１を連結具７３ｃに設けた係止穴（図示せず）に挿通する。これにより、フック部１１を絶縁状態で連結具７３ｃに係合できる。次に、一対の延設部１２・１３を電線９０ｗに二重螺旋状に巻回する（巻回行程）。一対の延設部１２・１３の内径ｄは、電線９０ｗの外径より僅かに小さくなっており、一対の延設部１２・１３を電線９０ｗに巻回すると、電線９０ｗに弾性をもって圧縮できる。
【００３６】
図１又は図２を参照すると、第１実施形態による引留具１０は、帯状に延びる長尺の金属部材１、及び金属部材１に積層された第１絶縁板２で引留具を構成し、電柱Ｐに係止可能にＵ字状に湾曲したフック部１１を形成し、フック部１１の一端１１ａ及び他端１１ｂから略平行に延設する一対の延設部１２・１３であって、被覆９１ｗが部分的に剥離された電線９０ｗを金属部材１が巻回可能となるように、これらの延設部１２・１３をスパイラル状に形成しているので、絶縁電線９ｗを確実に引き留めておくことができる。
【００３７】
図１又は図２を参照すると、第１実施形態による引留具１０は、一対の延設部１２・１３の内壁を金属部材１で構成し、被覆９１ｗが部分的に剥離された電線９０ｗに金属部材１が弾性をもって圧縮するように密着しているので、従来のように、絶縁電線９ｗの被覆に引留グリップの被覆を当接して、絶縁電線９ｗを引き留める場合と異なり、絶縁電線９ｗの相当の張力に対して、絶縁電線９ｗを確実に引き留めておくことができる。
【００３８】
又、図２を参照すると、第１実施形態による引留具１０は、被覆９１ｗが部分的に剥離された電線９０ｗが外部に露出しないように、一対の延設部１２・１３を巻回して、第１絶縁板２で覆っているので、絶縁電線９ｗの地絡を防止できる。
【００３９】
更に、図１又は図２を参照すると、第１実施形態による引留具１０は、絶縁性を有する第２絶縁板３をフック部１１に有しているので、被覆９１ｗが部分的に剥離された電線９０ｗと連結具７３ｃとを絶縁できる。そして、電線９０ｗから連結具７３ｃに電気が流れることが防止される。
【００４０】
又、図２を参照すると、第１実施形態による引留具１０は、従来のくさび型の引留クランプ８（図７参照）のように露出した導電部分を有しないので、連結具７３ｃのみを絶縁性のカバー５ｃで覆うだけでよく、絶縁性のカバーを従来よりも小さくできる。
【００４１】
図２を参照すると、第１実施形態による引留具１０は、露出した導電部分を覆う絶縁性のカバーが従来よりも小さくでき、美観上有利となる。このように、第１実施形態による引留具１０は、絶縁電線９ｗの張力に対して、金属部材１が機械的に担保すると共に、電線９０ｗの絶縁に対しては、第１絶縁板２及び第２絶縁板３が電気的に担保する、優れた効果を有している。
【００４２】
［第２実施形態］
（絶縁電線用引留具の構成）
次に、本発明の第２実施形態による絶縁電線用引留具の構成を説明する。なお、従来技術及び第１実施形態で用いた符号と同じ符号を有する構成品は、その作用を同一にするので、以下の説明では割愛する場合がある。
【００４３】
図３は、本発明の第２実施形態による絶縁電線用引留具の構成を示す図であり、図３（Ａ）は、絶縁電線用引留具を絶縁電線に取り付ける前の状態を示す絶縁電線用引留具の正面図、図３（Ｂ）は、図３（Ａ）のＢ−Ｂ矢視断面図、図３（Ｃ）は、図３（Ａ）のＣ−Ｃ矢視断面図である。
【００４４】
図３を参照すると、本発明の第２実施形態による引留具２０は、長尺の金属部材１と絶縁性を有する第１絶縁板２を備えている。金属部材１は、帯状に延びている。第１絶縁板２は、金属部材１の一方の面１ａに積層されている。
【００４５】
又、図３を参照すると、引留具２０は、フック部１４と一対の延設部１２・１３を有している。フック部１４は、金属部材１及び第１絶縁板２の長手方向の中央部がＵ字状に湾曲している。図２又は図３及び図７を参照すると、フック部１４は、第２碍子７３ｂに連結された連結具７３ｃを介して、電柱Ｐに係止できる。
【００４６】
図３を参照すると、一対の延設部１２・１３は、フック部１４の一端１４ａと他端１４ｂから略平行に延設している。更に、一対の延設部１２・１３は、一端１４ａ又は他端１４ｂから両端部１２ａ・１３ａに至るまで、スパイラル状に形成されている。なお、一端１４ａ及び他端１４ｂは、フック部１４と一対の延設部１２・１３とを区分する仮想の境界であって、実体として厳密に区分されていない。
【００４７】
図２を参照すると、一対の延設部１２・１３は、被覆９１ｗが部分的に剥離された電線９０ｗをスパイラル状に巻回できる。第２実施形態による引留具２０は、一対の延設部１２・１３が互いに交差しないように、一対の延設部１２・１３の巻回方向を同じにして、電線９０ｗを巻回できる。
【００４８】
図３を参照すると、フック部１４は、金属部材１の他方の面１ｂが幅方向に半分に折り曲げられて互いに密着すると共に、第１絶縁板２で被覆された外面を有している。又、一対の延設部１２・１３は、金属部材１の他方の面１ｂを内側に配置して、電線９０ｗに弾性をもって圧縮可能な内径ｄを設けている（図２参照）。
【００４９】
（絶縁電線の引留方法）
次に、第２実施形態による引留具２０を用いた絶縁電線の引留方法を説明しながら、引留具２０の作用及び効果を説明する。
【００５０】
図２を参照して、最初に、絶縁電線９ｗの被覆９１ｗを所定の範囲内で部分的に剥離する（剥離行程）。次に、図３に示された状態でのフック部１４を連結具７３ｃに設けた係止穴（図示せず）に挿通する。この場合、第１絶縁板２の外面（平坦な側面部分）が係止穴の内壁に当接する。これにより、フック部１４を絶縁状態で連結具７３ｃに係合できる。次に、一対の延設部１２・１３を電線９０ｗに二重螺旋状に巻回する（巻回行程）。
【００５１】
図２又は図３を参照すると、第２実施形態による引留具２０は、帯状に延びる長尺の金属部材１、及び金属部材１に積層された第１絶縁板２で引留具を構成し、電柱Ｐに係止可能にＵ字状に湾曲したフック部１４を形成し、フック部１４の一端１４ａ及び他端１４ｂから略平行に延設する一対の延設部１２・１３であって、被覆９１ｗが部分的に剥離された電線９０ｗを金属部材１が巻回可能となるように、これらの延設部１２・１３をスパイラル状に形成しているので、絶縁電線９ｗを確実に引き留めておくことができる。
【００５２】
図２又は図３を参照すると、第２実施形態による引留具２０は、一対の延設部１２・１３の内壁を金属部材１で構成し、被覆９１ｗが部分的に剥離された電線９０ｗに金属部材１が弾性をもって圧縮するように密着しているので、従来のように、絶縁電線９ｗの被覆に引留グリップの被覆を当接して、絶縁電線９ｗを引き留める場合と異なり、絶縁電線９ｗの相当の張力に対して、絶縁電線９ｗを確実に引き留めておくことができる。
【００５３】
又、図２を参照すると、第２実施形態による引留具２０は、被覆９１ｗが部分的に剥離された電線９０ｗが外部に露出しないように、一対の延設部１２・１３を巻回して、第１絶縁板２で覆っているので、絶縁電線９ｗの地絡を防止できる。
【００５４】
更に、図２又は図３を参照すると、第２実施形態による引留具２０は、金属部材１の他方の面１ｂが幅方向に半分に折り曲げられて互いに密着すると共に、第１絶縁板２で被覆された外面をフック部１４に有しているので、被覆９１ｗが部分的に剥離された電線９０ｗと連結具７３ｃとを絶縁できる。
【００５５】
又、図２又は図３を参照すると、第２実施形態による引留具２０は、従来のくさび型の引留クランプ８（図７参照）のように露出した導電部分を有しないので、連結具７３ｃのみを絶縁性のカバー５ｃで覆うだけでよく、絶縁性のカバーを従来よりも小さくできる。
【００５６】
図２を参照すると、第２実施形態による引留具２０は、露出した導電部分を覆う絶縁性のカバーが従来よりも小さくでき、美観上有利となる。このように、第２実施形態による引留具２０は、絶縁電線９ｗの張力に対して、金属部材１が機械的に担保すると共に、電線９０ｗの絶縁に対しては、第１絶縁板２が電気的に担保する、優れた効果を有している。
【００５７】
更に、図３を参照すると、第２実施形態による引留具２０は、金属部材１の他方の面１ｂが幅方向に半分に折り曲げられて互いに密着すると共に、第１絶縁板２で被覆された外面を有するフック部１４を実施例として開示したが、金属部材１の他方の面１ｂを内側に配置し、第１絶縁板２が外側に配置して、竹の子ばねのように巻回した後に、平坦に押し潰して（折り曲げて）、フック部１４を構成してもよく、電線９０ｗと連結具７３ｃとを絶縁できる。
【００５８】
［第３実施形態］
（絶縁電線用引留具の構成）
次に、本発明の第３実施形態による絶縁電線用引留具の構成を説明する。なお、従来技術、第１実施形態、及び第２実施形態で用いた符号と同じ符号を有する構成品は、その作用を同一にするので、以下の説明では割愛する場合がある。
【００５９】
図４は、本発明の第３実施形態による絶縁電線用引留具の構成を示す図であり、図４（Ａ）は、絶縁電線用引留具を絶縁電線に取り付ける前の状態を示す絶縁電線用引留具の正面図、図４（Ｂ）は、図４（Ａ）のＢ−Ｂ矢視断面図、図４（Ｃ）は、図４（Ａ）のＣ−Ｃ矢視断面図である。
【００６０】
図５は、第３実施形態による絶縁電線用引留具を絶縁電線に取り付けた状態を示す図であり、図５（Ａ）は、絶縁電線用引留具の平面図、図５（Ｂ）は、絶縁電線用引留具の正面図である。
【００６１】
図４を参照すると、本発明の第３実施形態による引留具３０は、長尺の金属部材１と絶縁性を有する第１絶縁板２を備えている。金属部材１は、帯状に延びている。第１絶縁板２は、金属部材１の一方の面１ａに積層されている。第１絶縁板２は、金属部材１の幅方向の側面を覆う一対の屈曲片２１・２１を長手方向に有している（図４（Ｂ）及び図４（Ｃ）参照）。
【００６２】
又、図４を参照すると、引留具３０は、フック部１１と一対の延設部１２・１３を有している。フック部１１は、金属部材１及び第１絶縁板２の長手方向の中央部がＵ字状に湾曲している。図４又は図５及び図７を参照すると、フック部１１は、第２碍子７３ｂに連結された連結具７３ｃを介して、電柱Ｐに係止できる。
【００６３】
図４を参照すると、一対の延設部１２・１３は、フック部１１の一端１１ａと他端１１ｂから略平行に延設している。更に、一対の延設部１２・１３は、一端１１ａ又は他端１１ｂから両端部１２ａ・１３ａに至るまで、スパイラル状に形成されている。
【００６４】
図５を参照すると、一対の延設部１２・１３は、被覆９１ｗが部分的に剥離された電線９０ｗをスパイラル状に巻回できる。第３実施形態による引留具３０は、一対の延設部１２・１３が互いに交差しないように、一対の延設部１２・１３の巻回方向を同じにして、電線９０ｗを巻回できる。
【００６５】
図４を参照すると、フック部１１は、絶縁性を有する第２絶縁板３を更に有している。第２絶縁板３は、第１絶縁板２と対向するように、金属部材１の他方の面１ｂに積層されている。又、一対の延設部１２・１３は、金属部材１の他方の面１ｂを内側に配置して、電線９０ｗに弾性をもって圧縮可能な内径ｄを設けている（図５参照）。
【００６６】
（絶縁電線の引留方法）
次に、第３実施形態による引留具３０の作用及び効果を説明する。図４又は図５を参照すると、第３実施形態による引留具３０は、第１実施形態による引留具１０と略同様に構成しているが、第１絶縁板２が一対の屈曲片２１・２１を有している点が異なっている。
【００６７】
図４又は図５を参照して、第３実施形態による引留具３０は、第１実施形態による引留具１０と同様の効果を奏するが、フック部１１は、金属部材１の周囲を一対の屈曲片２１・２１を含む第１絶縁板２、及び第２絶縁板３で覆っているので、電線９０ｗから連結具７３ｃに電気が流れることを確実に防止できる。
【００６８】
図５を参照すると、第３実施形態による引留具３０は、従来のくさび型の引留クランプ８（図７参照）のように露出した導電部分を有しておらず、かつ、電線９０ｗから連結具７３ｃに電気が流れることが確実に防止されることにより、連結具７３ｃを絶縁性のカバーで覆う必要がなくなるという利点がある。
【００６９】
［第４実施形態］
（絶縁電線用引留具の構成）
次に、本発明の第４実施形態による絶縁電線用引留具の構成を説明する。なお、従来技術、第１から第３実施形態で用いた符号と同じ符号を有する構成品は、その作用を同一にするので、以下の説明では割愛する場合がある。
【００７０】
図６は、本発明の第４実施形態による絶縁電線用引留具の構成を示す図であり、図６（Ａ）は、絶縁電線用引留具を絶縁電線に取り付ける前の状態を示す絶縁電線用引留具の正面図、図６（Ｂ）は、図６（Ａ）のＢ−Ｂ矢視断面図、図６（Ｃ）は、図６（Ａ）のＣ−Ｃ矢視断面図である。
【００７１】
図６を参照すると、本発明の第４実施形態による引留具４０は、長尺の金属部材１と絶縁性を有する第１絶縁板２を備えている。金属部材１は、帯状に延びている。第１絶縁板２は、金属部材１の一方の面１ａに積層されている。第１絶縁板２は、金属部材１の幅方向の側面を覆う一対の屈曲片２１・２１を長手方向に有している（図６（Ｂ）及び図６（Ｃ）参照）。
【００７２】
又、図６を参照すると、引留具４０は、フック部１４と一対の延設部１２・１３を有している。フック部１４は、金属部材１及び第１絶縁板２の長手方向の中央部がＵ字状に湾曲している。図５又は図６及び図７を参照すると、フック部１４は、第２碍子７３ｂに連結された連結具７３ｃを介して、電柱Ｐに係止できる。
【００７３】
図６を参照すると、一対の延設部１２・１３は、フック部１４の一端１１ａと他端１１ｂから略平行に延設している。更に、一対の延設部１２・１３は、一端１１ａ又は他端１１ｂから両端部１２ａ・１３ａに至るまで、スパイラル状に形成されている。
【００７４】
図５を参照すると、一対の延設部１２・１３は、被覆９１ｗが部分的に剥離された電線９０ｗをスパイラル状に巻回できる。第４実施形態による引留具４０は、一対の延設部１２・１３が互いに交差しないように、一対の延設部１２・１３の巻回方向を同じにして、電線９０ｗを巻回できる。
【００７５】
図６を参照すると、フック部１４は、金属部材１の他方の面１ｂが幅方向に半分に折り曲げられて互いに密着すると共に、第１絶縁板２で被覆された外面を有している。又、一対の延設部１２・１３は、金属部材１の他方の面１ｂを内側に配置して、電線９０ｗに弾性をもって圧縮可能な内径ｄを設けている。
【００７６】
（絶縁電線の引留方法）
次に、第４実施形態による引留具４０の作用及び効果を説明する。図５又は図６を参照すると、第４実施形態による引留具４０は、第２実施形態による引留具２０と略同様に構成しているが、第１絶縁板２が一対の屈曲片２１・２１を有している点が異なっている。
【００７７】
図５又は図６を参照して、第４実施形態による引留具４０は、第２実施形態による引留具２０と同様の効果を奏するが、フック部１４は、他方の面１ｂが幅方向に半分に折り曲げられて互いに密着した金属部材１の周囲を一対の屈曲片２１・２１を含む第１絶縁板２で覆っているので、電線９０ｗから連結具７３ｃに電気が流れることを確実に防止できる。
【００７８】
図５を参照すると、第４実施形態による引留具４０は、従来のくさび型の引留クランプ８（図７参照）のように露出した導電部分を有しておらず、かつ、電線９０ｗから連結具７３ｃに電気が流れることが確実に防止されることにより、連結具７３ｃを絶縁性のカバーで覆う必要がなくなるという利点がある。
【００７９】
本発明による絶縁電線用引留具及び絶縁電線の引留方法は、絶縁電線を電柱に引き留める場合に好適な実施形態を開示したが、絶縁電線を電柱に引き留める場合に限定されない。絶縁電線を建物などの構造物に引き留める場合に適用してもよい。
【００８０】
又、本発明による絶縁電線用引留具及び絶縁電線の引留方法は、絶縁電線が碍子を介して電柱に引き留める場合に好適な実施形態を開示したが、第３及び第４実施形態では、碍子は特に必要とせず、腕金７１（図７参照）を介して、適宜な連結金具で本発明による絶縁電線用引留具を連結してもよい。
【符号の説明】
【００８１】
１  金属部材
１ａ  一方の面（金属部材の一方の面）
１ｂ  他方の面（金属部材の他方の面）
２  第１絶縁板
３  第２絶縁板
９ｗ  絶縁電線
１０  引留具（絶縁電線用引留具）
１１  フック部
１１ａ  一端（フック部の一端）
１１ｂ  他端（フック部の他端）
１２・１３  一対の延設部
１２ａ・１３ａ  両端部（一対の延設部の両端部）
７３ｃ  連結具
９０ｗ  電線
９１ｗ  被覆
Ｐ  電柱
【図１】
0005383719.tif 000002
【図２】
0005383719.tif 000003
【図３】
0005383719.tif 000004
【図４】
0005383719.tif 000005
【図５】
0005383719.tif 000006
【図６】
0005383719.tif 000007
【図７】
0005383719.tif 000008